(57)【要約】【課題】ドレンパンの洗浄の作業効率を向上させることができるドレンパン洗浄装置を得る。【解決手段】ドレンパン１に水を供給する水供給装置２と、ドレンパン１に貯留された水が吸い込まれる吸込口３１および吸い込まれた水がドレンパン１へ吐き出される吐出口３２が形成され、ドレンパン１に着脱可能に設けられる配管３と、配管３に設けられ、ドレンパン１に貯留された水が吸込口３１から吸い込まれ、吸い込まれた水が吐出口３２から吐き出される水の流れを発生させる循環ポンプ４と、配管３に設けられ、配管３を流れる水にマイクロバブルを発生させるマイクロバブル発生装置５とを備えている。【選択図】図１
2018080894.tif 000002
【特許請求の範囲】
【請求項１】
ドレンパンに水を供給する水供給装置と、
前記ドレンパンに貯留された水が吸い込まれる吸込口および吸い込まれた水が前記ドレンパンへ吐き出される吐出口が形成され、前記ドレンパンに着脱可能に設けられる配管と、
前記配管に設けられ、前記ドレンパンに貯留された水が前記吸込口から吸い込まれ、吸い込まれた水が前記吐出口から吐き出される水の流れを発生させる循環ポンプと、
前記配管に設けられ、前記配管を流れる水にマイクロバブルを発生させるマイクロバブル発生装置と
を備えているドレンパン洗浄装置。
【請求項２】
前記吸込口は、前記ドレンパンに形成された排水口に連通される請求項１に記載のドレンパン洗浄装置。
【請求項３】
前記マイクロバブル発生装置は、前記配管における前記循環ポンプよりも下流側に配置されている請求項１または請求項２に記載のドレンパン洗浄装置。
【請求項４】
ドレンパンに水を供給する水供給工程と、
前記ドレンパンに貯留された水が吸い込まれる吸込口および吸い込まれた水が前記ドレンパンへ吐き出される吐出口が形成された配管を前記ドレンパンに取り付ける配管設置工程と、
前記配管設置工程の後であって前記水供給工程が開始された後に、前記ドレンパンに貯留された水を前記配管に吸い込み、前記配管に吸い込まれた水にマイクロバブルを発生させ、前記マイクロバブルが発生した水を前記配管から前記ドレンパンに吐き出すマイクロバブル水循環工程と
を備えているドレンパン洗浄方法。
【請求項５】
前記水供給工程の前に、前記ドレンパンに貯留されているドレン水を排出するドレン水排出工程をさらに備えている請求項４に記載のドレンパン洗浄方法。
【請求項６】
前記マイクロバブル水循環工程の後に、前記吸込口に吸い込まれた水を前記ドレンパンの外部に吐き出すマイクロバブル水排出工程をさらに備えている請求項４または請求項５に記載のドレンパン洗浄方法。
【発明の詳細な説明】
【技術分野】
【０００１】
この発明は、ドレンパンを洗浄するドレンパン洗浄装置およびドレンパン洗浄方法に関する。
【背景技術】
【０００２】
従来、熱交換器で発生したドレン水が貯留されるドレンパンと、ドレンパンに貯留されたドレン水を吸い上げるドレンポンプと、ドレンポンプによって吸い上げられたドレン水にマイクロバブルを発生させるマイクロバブル発生装置と、マイクロバブルが発生したドレン水が通る排水配管とを備え、マイクロバブルが発生したドレン水が排水配管を通ることによって排水配管が洗浄される空気調和装置が知られている（例えば、特許文献１参照）。
【先行技術文献】
【特許文献】
【０００３】
【特許文献１】特開２０１３−２５３７１１号公報
【発明の概要】
【発明が解決しようとする課題】
【０００４】
しかしながら、ドレンパンに貯留されているドレン水にはマイクロバブルが発生しないので、ドレン水に含まれる汚れがドレンパンの付着してしまう。ドレンパンに付着した異物を除去するためには、空気調和器を分解してドレンパンを設置位置から取り外した後に、ドレンパンを洗浄し、ドレンパンを洗浄した後にドレンパンを設置位置に取り付ける。その結果、ドレンパンの洗浄の作業効率が悪いという問題点があった。
【０００５】
この発明は、ドレンパンの洗浄の作業効率を向上させることができるドレンパン洗浄装置およびドレンパン洗浄方法を提供するものである。
【課題を解決するための手段】
【０００６】
この発明に係るドレンパン洗浄装置は、ドレンパンに水を供給する水供給装置と、ドレンパンに貯留された水が吸い込まれる吸込口および吸い込まれた水がドレンパンへ吐き出される吐出口が形成され、ドレンパンに着脱可能に設けられる配管と、配管に設けられ、ドレンパンに貯留された水が吸込口から吸い込まれ、吸い込まれた水が吐出口から吐き出される水の流れを発生させる循環ポンプと、配管に設けられ、配管を流れる水にマイクロバブルを発生させるマイクロバブル発生装置とを備えている。
【発明の効果】
【０００７】
この発明に係るドレンパン洗浄装置によれば、ドレンパンに水を供給する水供給装置と、ドレンパンに貯留された水が吸い込まれる吸込口および吸い込まれた水がドレンパンへ吐き出される吐出口が形成され、ドレンパンに着脱可能に設けられる配管と、配管に設けられ、ドレンパンに貯留された水が吸込口から吸い込まれ、吸い込まれた水が吐出口から吐き出される水の流れを発生させる循環ポンプと、配管に設けられ、配管を流れる水にマイクロバブルを発生させるマイクロバブル発生装置とを備えているので、ドレンパンを設置位置から取り外すことなく、ドレンパンを洗浄することができる。その結果、ドレンパンの洗浄の作業効率を向上させることができる。
【図面の簡単な説明】
【０００８】
【図１】この発明の実施の形態１に係るドレンパン洗浄装置を示す構成図である。
【図２】図１のドレンパンに水が貯留されている場合のドレンパン洗浄装置を示す構成図である。
【図３】図１のドレンパン洗浄装置を用いてドレンパンを洗浄するドレンパン洗浄方法を示すフローチャートである。
【発明を実施するための形態】
【０００９】
実施の形態１．
図１はこの発明の実施の形態１に係るドレンパン洗浄装置を示す構成図である。図において、ドレンパン洗浄装置は、ドレンパン１に水を供給する水供給装置２と、ドレンパン１に着脱可能に設けられる配管３と、配管３に設けられる循環ポンプ４と、配管３に設けられるマイクロバブル発生装置５とを備えている。図１では、ドレンパン１の断面を示している。ドレンパン洗浄装置は、洗浄作業者が携行可能な形状および重量となっている。
【００１０】
ドレンパン１は、排水口１１１が形成されたドレンパン本体１１と、排水口１１１を塞ぐようにドレンパン本体１１に取り付けられる図示しない排水栓とを有している。排水栓がドレンパン本体１１から取り外されることによって、ドレンパン本体１１に貯留されたドレン水が排水口１１１を通ってドレンパン本体１１から排出される。
【００１１】
水供給装置２は、水が貯留される貯留槽２１と、貯留槽２１からドレンパン１まで延びて設けられる配管２２と、配管２２に設けられ、貯留槽２１に貯留された水をドレンパン１に向かって送り出す送出ポンプ２３とを有している。送出ポンプ２３が駆動することによって、貯留槽２１に貯留されている水がくみ上げられてドレンパン１に供給される。水供給装置２は、ドレンパン１に着脱可能となっている。また、水供給装置２は、洗浄作業者が持ち運び可能となっている。なお、水供給装置２は、送出ポンプ２３を有しない構成であってもよい。この場合、洗浄作業者が水をくみ上げる。図１では、水供給装置２がドレンパン１に水を供給する場合を示している。
【００１２】
図２は図１のドレンパン１に水が貯留されている場合のドレンパン洗浄装置を示す構成図である。図２では、ドレンパン１の断面を示している。配管３は、一端部がドレンパン１の排水口１１１に取り付けられ、他端部がドレンパン１の内部に上方から挿入され、中間部がドレンパン１の外部に配置されている。配管３の一端部には、排水口１１１に連通する吸込口３１が形成されている。ドレンパン１に貯留された水は、吸込口３１に吸い込まれる。なお、配管３の一端部は、ドレンパン１の内部に上方から挿入されてもよい。この場合、配管３の一端部は、Ｕ字形状に形成された給水銅管であってもよい。配管３の他端部には、吸込口３１から吸い込まれた水がドレンパン１へ吐き出される吐出口３２が形成されている。
【００１３】
配管３は、ドレンパン１と循環ポンプ４とに接続される水道ホース３３と、循環ポンプ４とマイクロバブル発生装置５とに接続される水道ホース３４と、マイクロバブル発生装置５に接続されドレンパン１の内部に上方から挿入される水道ホース３５とから構成されている。
【００１４】
配管３の一端部には、排水口１１１に嵌められるアタッチメントが設けられてもよい。アタッチメントを用いることによって、配管３の吸込口３１の寸法と排水口１１１の寸法とが一致しない場合であっても、吸込口３１と排水口１１１との間から水が漏れることなく吸込口３１と排水口１１１とを連通させることができる。
【００１５】
配管３がドレンパン１に取り付けられている場合に、吸込口３１と吐出口３２とは、上方から視た場合にドレンパン１における互いに離れた位置であって互いに対向する位置に配置されている。吸込口３１および吐出口３２のそれぞれの位置は、ドレンパン１に貯留された水の全体が循環するように配置されている。したがって、ドレンパン１の形状が、例えば、コの字形状である場合には、吸込口３１および吐出口３２は、ドレンパン１における両端部に配置される。また、ドレンパン１の形状が、例えば、四角形状である場合には、吸込口３１および吐出口３２は、ドレンパン１における対角線上に配置される。この例では、吸込口３１および吐出口３２のそれぞれの数が１個であるが、吸込口３１および吐出口３２の少なくとも一方の数が複数個であってもよい。
【００１６】
循環ポンプ４は、マグネットポンプから構成されている。なお、循環ポンプ４は、マグネットポンプに限らず、その他ポンプから構成されてもよい。また、循環ポンプ４は、分解可能となっている。これにより、循環ポンプ４を分解して、循環ポンプ４を洗浄することができる。また、循環ポンプ４には汚れが含まれた水が通過するので、循環ポンプ４は、水が通過する部分にフィルタ等が設けられていないものが好ましい。
【００１７】
マイクロバブル発生装置５は、金属アスピレータから構成されている。循環ポンプ４から送り出された水がマイクロバブル発生装置５を通過する時にマイクロバブル発生装置５は、マイクロバブルを発生させる。なお、マイクロバブル発生装置５は、金属アスピレータに限らず、その他のマイクロバブル発生装置から構成されてもよい。マイクロバブルとは、直径が０．１ｍｍ〜０．０１ｍｍ程度の微細な気泡である。
【００１８】
次に、ドレンパン洗浄装置を用いてドレンパンを洗浄するドレンパン洗浄方法について説明する。図３は図１のドレンパン洗浄装置を用いてドレンパンを洗浄するドレンパン洗浄方法を示すフローチャートである。
【００１９】
まず、ステップＳ１０１において、ドレン水排出工程を行う。ドレン水排出工程では、空気調和器の駆動を停止した後に、ドレンパン１に貯留されているドレン水を排出する。ドレン水を排出する方法としては、ドレンパン本体１１から排水栓を取り外すことによって、排水口１１１を通してドレン水を排出する。なお、ドレン水排出工程は、排水口１１１を通らずにドレン水を排出してもよい。
【００２０】
ドレン水排出工程の後に、ステップＳ１０２において、ドレンパン洗浄装置設置工程を行う。ドレンパン洗浄装置設置工程では、ドレンパン洗浄装置をドレンパン１に取り付ける。ドレンパン洗浄装置設置工程には、配管３をドレンパン１に取り付ける配管設置工程が含まれている。
【００２１】
ドレンパン洗浄装置設置工程の後に、ステップＳ１０３において、水供給工程を行う。水供給工程では、水供給装置２からドレンパン１に水が供給される。この例では、水供給装置２からドレンパン１に供給される水の量が、３Ｌ〜５Ｌとなっている。なお、水供給装置２からドレンパン１に供給される水の量は、ドレンパン１の大きさに応じて調整される。
【００２２】
水供給工程の後に、ステップＳ１０４において、マイクロバブル水循環工程を行う。マイクロバブル水循環工程では、循環ポンプ４が駆動する。これにより、ドレンパン１に貯留されている水が配管３の吸込口３１から吸い込まれ、配管３に吸い込まれた水にマイクロバブルが発生し、マイクロバブルが発生した水が配管３の吐出口３２から吐き出される。マイクロバブル水循環工程では、ドレンパン１に貯留されている水が配管３を通って循環される。この例では、マイクロバブル水循環工程が継続される時間が、２０分〜３０分となっている。なお、マイクロバブル水循環工程が継続される時間は、これに限らず、その他の時間であってもよい。なお、循環ポンプ４は、所定時間が経過した後に、自動的に停止する構成であってもよい。この場合、ドレンパン洗浄装置は、所定時間が経過した後に、マイクロバブル水循環工程が終了した旨を知らせる報知装置をさらに備えてもよい。この報知装置は、ドレンパン１の近くに配置されてもよく、また、洗浄作業者が携帯してもよい。
【００２３】
マイクロバブル水循環工程の後に、ステップＳ１０５において、マイクロバブル水排出工程を行う。マイクロバブル水排出工程では、配管３の他端部をドレンパン１から取り外す。これにより、循環ポンプ４の駆動によって配管３の吸込口３１に吸い込まれた水がドレンパン１の外部に吐き出される。マイクロバブル水排出工程は、ドレンパン１に貯留されている水がなくなるまで行われる。
【００２４】
マイクロバブル水排出工程の後に、ステップＳ１０６において、ドレンパン洗浄装置撤去工程を行う。ドレンパン洗浄装置撤去工程では、ドレンパン洗浄装置をドレンパン１から取り外す。以上により、ドレンパン洗浄方法が終了する。
【００２５】
以上説明したように、この発明の実施の形態１に係るドレンパン洗浄装置によれば、ドレンパン１に水を供給する水供給装置２と、ドレンパン１に貯留された水が吸い込まれる吸込口３１および吸い込まれた水がドレンパン１へ吐き出される吐出口３２が形成され、ドレンパン１に着脱可能に設けられる配管３と、配管３に設けられ、ドレンパン１に貯留された水が吸込口３１から吸い込まれ、吸い込まれた水が吐出口３２から吐き出される水の流れを発生させる循環ポンプ４と、配管３に設けられ、配管３を流れる水にマイクロバブルを発生させるマイクロバブル発生装置５とを備えているので、ドレンパン１を設置位置から取り外すことなく、ドレンパン１を洗浄することができる。その結果、ドレンパン１の洗浄の作業効率を向上させることができる。
【００２６】
また、吸込口３１は、ドレンパン１に形成された排水口１１１に連通されるので、ドレンパン１に貯留された水を効率よく循環させることができる。
【００２７】
また、マイクロバブル発生装置５は、配管３における循環ポンプ４よりも下流側に配置されているので、マイクロバブルを効率よくドレンパン１に供給することができる。
【００２８】
また、この発明の実施の形態１に係るドレンパン洗浄方法によれば、ドレンパン１に水を供給する水供給工程と、ドレンパン１に貯留された水が吸い込まれる吸込口３１および吸い込まれた水がドレンパン１へ吐き出される吐出口３２が形成された配管３をドレンパン１に取り付ける配管設置工程と、水供給工程および配管設置工程の後、ドレンパン１に貯留された水を配管３に吸い込み、配管３に吸い込まれた水にマイクロバブルを発生させ、マイクロバブルが発生した水を配管３からドレンパン１に吐き出すマイクロバブル水循環工程とを備えているので、ドレンパン１を設置位置から取り外すことなく、ドレンパン１を洗浄することができる。その結果、ドレンパン１の洗浄の作業効率を向上させることができる。
【００２９】
また、このドレンパン洗浄方法は、水供給工程の前に、ドレンパン１に貯留されているドレン水を排出するドレン水排出工程を備えているので、ドレン水にマイクロバブルを発生させる場合と比較して、ドレンパン１を効率よく洗浄することができる。
【００３０】
また、このドレンパン洗浄方法は、マイクロバブル水循環工程の後に、吸込口３１に吸い込まれた水をドレンパン１の外部に吐き出すマイクロバブル水排出工程を備えているので、ドレンパン１に貯留されている水をドレンパン１の外部に排出して、ドレンパン１に汚れが付着することを防止することができる。
【００３１】
なお、上記実施の形態１では、水供給工程の後にマイクロバブル水循環工程が行われる構成について説明したが、水供給工程が開始された後にマイクロバブル水循環工程が開始されてもよい。つまり、水供給工程が行われている間にマイクロバブル水循環工程が開始されてもよい。
【００３２】
また、上記実施の形態１では、水供給工程の前にドレン水排出工程を行う構成について説明したが、ドレンパン１にドレン水が無い場合には、ドレン水排出工程を行わなくてもよい。
【００３３】
また、上記実施の形態１では、水供給装置２と循環ポンプ４とが別体となっている構成について説明したが、水供給装置２が循環ポンプ４の内部に組み込まれてもよい。この場合、循環ポンプ４が駆動することによって、ドレンパン１に水が供給される。
【符号の説明】
【００３４】
１  ドレンパン、２  水供給装置、３  配管、４  循環ポンプ、５  マイクロバブル発生装置、１１  ドレンパン本体、２１  貯留槽、２２  配管、２３  送出ポンプ、３１  吸込口、３２  吐出口、３３  水道ホース、３４  水道ホース、３５  水道ホース、１１１  排水口。
【図１】
2018080894.tif 000003
【図２】
2018080894.tif 000004
【図３】
2018080894.tif 000005